【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
エレベータシャフトにおけるかご室の位置を決定するための測定テープであって、該測定テープは、前記エレベータシャフトに垂直に配置され、該測定テープの長さに関して該測定テープが少なくとも２つのフロアにわたって延在するように設計され、該測定テープは、前記エレベータシャフトにおける少なくとも２つの位置にマーク付けするためのマーキングユニットを含み、該マーキングユニットは、前記測定テープの長さに沿って延在する、測定テープであって、
該測定テープは、キャリアテープを含み、情報を送信するための送信デバイスを有し、
該送信デバイスは、情報信号を送信するための少なくとも１つの通信ライン及び／又は電力を供給するための少なくとも１つの供給ラインを含み、
該少なくとも１つの通信ライン及び／又は供給ラインは、前記測定テープの前記長さに沿って延在し、
前記通信ラインは、電気信号を送信するための電気ライン又は光信号を送信するためのファイバグラスラインとして設計されている
ことを特徴とする測定テープ。
【請求項２】
請求項１に記載の測定テープであって、
前記測定テープは、前記キャリアテープ及び少なくとも１つの複合層を備える複合テープとして設計されている
ことを特徴とする測定テープ。
【請求項３】
請求項１又は２に記載の測定テープであって、
上側及び／又は下側搭載デバイスが、前記エレベータシャフトの上側又は下側領域内に、前記測定テープを懸架するために設けられている
ことを特徴とする測定テープ。
【請求項４】
請求項３に記載の測定テープであって、
前記上側及び／又は前記下側搭載デバイスが、前記エレベータシャフトの天井又はフロアから、前記測定テープを懸架するために設けられている
ことを特徴とする測定テープ。
【請求項５】
請求項３又は４に記載の測定テープであって、
少なくとも１つの接続接点が、前記上側及び／又は下側搭載デバイスの領域内でそれぞれ前記通信ラインに送信されるか又は前記通信ラインから送信される信号を、接触接続、及び／又は、供給、及び／又は、遮断するために設けられている
ことを特徴とする測定テープ。
【請求項６】
請求項３〜５のうちのいずれか１項に記載の測定テープであって、
前記通信ラインの少なくとも１つ及び／又は前記供給ラインの少なくとも１つは、前記上側及び／又は下側搭載デバイスの間で、あるいは、前記上側及び／又は下側搭載デバイスの領域内のそれぞれの接続接点の間で送信される信号を、接点接続、及び／又は供給、及び／又は遮断するための少なくとも１つの更なる接点を有している
ことを特徴とする測定テープ。
【請求項７】
請求項６に記載の測定テープであって、
前記少なくとも１つの更なる接点は、プラグレセプタクルとして、及び／又は雌型プラグ接続部として設計されている
ことを特徴とする測定テープ。
【請求項８】
請求項７に記載の測定テープであって、
前記少なくとも１つの更なる接点には、前記それぞれの更なる接点の取り外し可能な、及び／又は折畳み式の開口部カバーが存在している
ことを特徴とする測定テープ。
【請求項９】
請求項１〜８のうちのいずれか１項に記載の測定テープであって、
前記通信ライン及び／又は供給ラインの少なくとも１つが、ワイヤとして、又は印刷された導電経路として、又は接着結合された導電経路として、又はフレキシブルプリント回路上の導電経路として設計されている
ことを特徴とする測定テープ。
【請求項１０】
請求項１〜９のうちのいずれか１項に記載の測定テープであって、
前記通信ライン及び／又は供給ラインの少なくとも１つが、シールドされている
ことを特徴とする測定テープ。
【請求項１１】
請求項１０に記載の測定テープであって、
少なくとも１つのグラウンドラインがシールド目的のために設けられている
ことを特徴とする測定テープ。
【請求項１２】
請求項１１に記載の測定テープであって、
前記通信ラインの少なくとも２つ、及び／又は前記通信ラインの１つと前記グラウンドラインの１つとが、シールド目的で、撚り合わせ方式、及び／又は十字交差方式で配置されている
ことを特徴とする測定テープ。
【請求項１３】
請求項１〜１２のうちのいずれか１項に記載の測定テープであって、
前記通信ラインは、バスとして設計されている
ことを特徴とする測定テープ。
【請求項１４】
請求項１３に記載の測定テープであって、
前記バスは、単方向的に及び／又は双方向的にデータを送信するために設計されている
ことを特徴とする測定テープ。
【請求項１５】
請求項１〜１４のうちのいずれか１項に記載の測定テープであって、
前記測定テープを接地し、前記ラインをシールドするための接地デバイスが存在し、
該接地デバイスが、前記少なくとも１つの通信ライン及び／又は供給ラインを囲繞するシールド用のケージ及び／又はケーシングとして設計されること、及び／又は、前記キャリアテープが、前記測定テープを接地するための接地デバイスとして設計されていること
を特徴とする測定テープ。
【請求項１６】
請求項１５に記載の測定テープであって、
前記通信ライン及び／又は供給ラインの少なくとも１つが、接続可能な電子機器からガルバニック絶縁されていること
を特徴とする測定テープ。
【請求項１７】
請求項１５又は１６に記載の測定テープであって、
前記接地デバイスは、前記測定テープの一端のみで、グラウンドに接続可能、及び／又は、干渉防止キャパシタの形態のキャパシタンスを介して、他端でグラウンドに接続可能となるように設計されている
ことを特徴とする測定テープ。
【請求項１８】
請求項１７に記載の測定テープであって、
前記一端は、上端であり、前記他端は下端である
ことを特徴とする測定テープ。
【請求項１９】
請求項１〜１８のうちのいずれか１項に記載の測定テープであって、
前記測定テープは、少なくとも３つの地点で、グラウンドに接続可能である
ことを特徴とする測定テープ。
【請求項２０】
請求項１９に記載の測定テープであって、
前記測定テープは、一定間隔で、グラウンドに接続可能である
ことを特徴とする測定テープ。
【請求項２１】
請求項１〜２０のうちのいずれか１項に記載の測定テープであって、
前記測定テープは、電圧を印加することによって長さを変化させるために電歪材料から少なくとも部分的に設計されている
ことを特徴とする測定テープ。
【請求項２２】
エレベータデバイス用の周辺デバイスであって、
請求項１〜２１のうちのいずれか１項に記載の測定テープを有している、周辺デバイス。
【請求項２３】
請求項２２に記載の周辺デバイスであって、
位置決定デバイス又は安全デバイス又は通信デバイスである
ことを特徴とする周辺デバイス。
【請求項２４】
請求項２２又は２３に記載の周辺デバイスであって、
前記通信ラインの少なくとも１つを介した信号のランタイム測定、及び／又は前記通信ラインの少なくとも１つのキャパシタンス測定、及び／又は前記通信ラインの少なくとも１つの導通チェックを実行することによって、及び／又は、ある位置において前記通信ラインの少なくとも１つに対する接続を試験するための接続試験デバイスを設けることによって、前記測定テープの破損及び／又は伸長について前記測定テープを試験するための試験デバイスが存在している
ことを特徴とする周辺デバイス。
【請求項２５】
エレベータデバイスであって、
請求項２２〜２４のうちのいずれか１項に記載の周辺デバイスが設けられている
ことを特徴とするエレベータデバイス。
【手続補正２】
【補正対象書類名】明細書
【補正対象項目名】０００１
【補正方法】変更
【補正の内容】
【０００１】
本発明は、請求項１の前文に係るエレベータシャフトにおけるかご室の位置を決定するための測定テープ、請求項２２の前文に係る周辺デバイス、及び、請求項２５の前文に係るエレベータデバイスに関する。
【手続補正３】
【補正対象書類名】明細書
【補正対象項目名】００２５
【補正方法】変更
【補正の内容】
【００２５】
電気信号が、干渉又は影響なしでラインを通して伝搬することができ、また同様にそれ自体、他のライン及び前記ライン内を送信される信号と干渉できないために、通信ライン又は供給ラインの少なくとも１つがシールドされ、具体的には、少なくとも１つのグラウンドラインがシールド目的のために使用され得る。具体的には、通信ライン又は供給ラインの少なくとも２つは、したがって、互いからシールドされ得る。
【手続補正４】
【補正対象書類名】明細書
【補正対象項目名】００２６
【補正方法】変更
【補正の内容】
【００２６】
原理上、通信ライン、供給ライン、及びグラウンドラインは、測定テープに沿って平行に配置され得る。本発明の１つの展開では、シールドとしてのラインの平行配置構成から逸脱することが可能である。その場合、２つのライン、２つの通信ライン又は２つの供給ライン、１つの通信ライン及び１つの供給ライン、あるいは、１つの通信ライン又は１つの供給ラインは、グラウンドラインと撚り合わされ得る。このシールドの方法は、特に効果的であり、更に、安定性の増加をもたらし得る。その理由は、撚り合わされるラインが、伸長に関する移動及び機械的移動についての追加の遊びのエリアを有するからである。同様に、導電経路を、メアンダー方式で積み重ねて配置することで、ワイヤの撚り合わせと同様のシールド効果を達成することが実現可能である。
【手続補正５】
【補正対象書類名】明細書
【補正対象項目名】００３１
【補正方法】変更
【補正の内容】
【００３１】
更なる干渉を回避するために、ガルバニック絶縁部が、具体的には、通信ラインと、接続され得る電子システムとの間に設けられ得る。
測定テープの特に効果的なシールドを達成するために、測定テープの周りにシールドケージを配置することが可能である。ケージは、接地されるため、ファラデーケージのように作用することができ、ファラデーケージは、したがって、同様に送信デバイスを囲繞し、可能である場合、信号ラインを外部干渉がない状態に維持する。この種のシールドケージは、特に有利なシールドとなる場合があり、非常に効果的である。
【手続補正６】
【補正対象書類名】明細書
【補正対象項目名】００５３
【補正方法】変更
【補正の内容】
【００５３】
図５は、通信ライン５１と、金属ケージ５２と、ライン５１に接触するための個々のクリップＣ１、Ｃ２、及びＣｎとを有する同様の測定テープ５０を示す。更に、連続マーキング５３が、測定テープ５０の長さに沿って外側エリア内に取り付けられる。通信ライン５１は、ケーブル５４によって外にルーティングされ、クリップＣ１、Ｃ２、Ｃｎを介して更なる電子機器に接続される。ライン５１はまた、シールドのためにライン５１間に接地ケーブルがある状態で平行に配置され得るか、或いは、内部クロストークが生じないように対で撚り合わされ得る。すなわち、ラインは、信号を伝導するときに、互いに影響を及ぼさない。上側エリアでは、通信ライン５１は、次に、ガルバニック絶縁部５５を介して、更なる電子機器に、また、電力を供給するためのラインがライン５１内に設けられる場合、電圧源に接続される。